【事件の表示】
　特願２０１６−１８２１４８「映像処理装置、テレビジョン受像機、映像処理方法、制御プログラム、および記録媒体」拒絶査定不服審判事件〔平成３０年　３月２２日出願公開、特開２０１８−　４５２０６、請求項の数（８）〕について、次のとおり審決する。
【結　論】
　原査定を取り消す。
　本願の発明は、特許すべきものとする。
【理　由】
第１  手続の経緯
　この審判事件に関する出願（本願）は、平成２８年９月１６日にされた特許出願である。
　本願について、平成２９年５月１７日付けで拒絶理由が通知され、同年７月４日に意見書が提出されるとともに特許請求の範囲についての補正がなされたが、同年１２月２８日付けで拒絶査定（原査定）がなされ、査定の謄本が翌平成３０年１月９日に送達された。これに対し、同年３月２３日に拒絶査定不服審判が請求され、同時に特許請求の範囲についての補正（以下、「本件補正」という。）がされた。 
　なお、本願の請求項の数は、本件補正前（すなわち、原査定時）は９であり、本件補正後は８である。 
第２  本願発明
　本願の請求項１ないし請求項８に係る発明（以下、「本願発明１」ないし「本願発明８」という。）は、本件補正がされた特許請求の範囲の請求項１ないし請求項８に記載された事項により特定される以下のとおりのものである。
　
「【請求項１】
　映像信号が示す階調値から輝度値を設定する変換手段を複数有し、
　上記映像信号の最大輝度レベルに関する情報に応じて、上記変換手段を切り替える切替部と、
　上記映像信号の最大輝度レベルに関する情報を参照し、当該最大輝度レベルが所定の最大輝度レベルよりも大きいか否かを判定する判定部と、を備え、
　上記変換手段は、変換関数による階調値と輝度値との変換関数であり、
　上記切替部は、上記判定部が、上記最大輝度レベルが所定の最大輝度レベルよりも大きいと判定した場合に、上記変換関数を、上記映像信号が示す最大の階調値に対応する輝度値が上記所定の最大輝度レベルの値になるように階調値と輝度値とを変換する変換関数に、切り替えることを特徴とする、映像処理装置。
【請求項２】
　使用者による、上記所定の最大輝度レベルの更新指示を受け付ける受付部をさらに備えていることを特徴とする、請求項１に記載の映像処理装置。
【請求項３】
　上記切替部は、上記変換関数を、表示モードに応じた変換関数に切り替えることを特徴とする、請求項１又は２に記載の映像処理装置。
【請求項４】
　第１の映像フォーマットよりも輝度範囲の広い第２の映像フォーマットに従う映像信号において各画素が取る階調値を変換する映像処理装置であって、
　上記第２の映像フォーマットに従う映像信号において各画素が取る階調値のうち、所定の最大輝度レベル以下の各輝度レベルに対応する階調値を、上記第１の映像フォーマットに従う映像信号において各画素が取る階調値に変換する変換部と、
　上記第２の映像フォーマットに従う映像信号の最大輝度レベルに関する情報を参照し、当該最大輝度レベルが上記所定の最大輝度レベルよりも大きいか否かを判定する判定部と
、
　上記判定部が、上記最大輝度レベルが上記所定の最大輝度レベルよりも大きいと判定した場合に、上記所定の最大輝度レベルを、より高い値に設定する設定部と、を備えていることを特徴とする、映像処理装置。
【請求項５】
　請求項１〜４の何れか１項に記載の映像処理装置を備えているテレビジョン受像機。
【請求項６】
　映像信号が示す階調値から輝度値を設定する複数の変換手段のうちで、上記映像信号の最大輝度レベルに関する情報に応じて上記変換手段を切り替える切替ステップと、
　上記映像信号の最大輝度レベルに関する情報を参照し、当該最大輝度レベルが所定の最大輝度レベルよりも大きいか否かを判定する判定ステップと、を含み、
　上記変換手段は、変換関数による階調値と輝度値との変換関数であり、
　上記切替ステップでは、上記判定ステップで上記最大輝度レベルが所定の最大輝度レベルよりも大きいと判定した場合に、上記変換関数を、上記映像信号が示す最大の階調値に対応する輝度値が上記所定の最大輝度レベルの値になるように階調値と輝度値とを変換する変換関数に、切り替えることを特徴とする、映像処理方法。
【請求項７】
　請求項１に記載の映像処理装置としてコンピュータを機能させるための制御プログラムであって、上記切替部としてコンピュータを機能させるための制御プログラム。
【請求項８】
　請求項７に記載の制御プログラムを記録したコンピュータ読み取り可能な記録媒体。」
第３  原査定における拒絶理由の概要
　この出願の請求項１ないし請求項９に係る発明は、以下の引用文献１に記載された発明に基づいて、当業者が容易に発明をすることができたものであるから、特許法第２９条第２項の規定により特許を受けることができない。
　　引用文献１.国際公開第２０１５／１９４１０２号
第４  引用文献に記載された発明等
１  引用文献１
　引用文献１には、以下の記載がある。なお、下線は合議体が付したものである。
（１）  段落００３９
「　本開示は、
輝度範囲が高い高輝度信号であるＨＤＲ
信号を、最大輝度値が１００ｎｉｔである輝度範囲の通常輝度信号であるＳＤＲ
信号に対応したＴＶ
で表示させるための画像変換・再生方法
（２）  段落００５２
「　［１−４．ＳＤＲＴＶ］
　ＳＤＲに対応した映像の表示（以下、「ＳＤＲ表示」という。）のみに対応したＴＶ（以下、「
ＳＤＲＴＶ
（３）  段落００６３から段落００６４まで
「　［１−７．ＨＤＲ→疑似ＨＤＲ変換］
　以上のことからＨＤＲの普及を促進するためには、ＨＤＲＴＶの普及を待たずに、ＨＤＲコンテンツや配信方式の事業化を推進できることが重要であると言える。このためには、
既存のＳＤＲＴＶで、ＨＤＲ信号を、ＳＤＲ映像としてではなく、ＨＤＲ映像または、ＳＤＲ映像よりもＨＤＲ映像に近づけた疑似ＨＤＲ映像として視聴可能にする
　疑似ＨＤＲ映像をＳＤＲＴＶに表示させることを実現するために、ＨＤＲ配信方式にＳＤＲＴＶが接続された構成で、ＨＤＲコンテンツを再生した時に、ＳＤＲＴＶでＨＤＲコンテンツの映像が正しく表示できるように、ＨＤＲ信号をＳＤＲ映像信号に変換する代わりに、ＳＤＲＴＶの１００ｎｉｔを最大値とする映像信号の入力を用いて、ＳＤＲＴＶが持つ表示能力の最大輝度、例えば、２００ｎｉｔ以上の映像を表示させるための疑似ＨＤＲ信号を生成し、生成した疑似ＨＤＲ信号をＳＤＲＴＶに送ることを可能にする「ＨＤＲ→疑似ＨＤＲ変換処理」を実現することが必要になる。」
（４）  段落００６７から段落００６９まで
「　ＥＯＴＦは、一般的にガンマカーブと呼ばれるものであり、コード値と輝度値との対応を示し、コード値を輝度値に変換するものである。つまり、ＥＯＴＦは、複数のコード値と輝度値との対応関係を示す関係情報である。
　…（略）…
　逆ＥＯＴＦは、輝度値とコード値との対応を示し、ＥＯＴＦとは逆に輝度値を量子化してコード値に変換するものである。つまり、逆ＥＯＴＦは、輝度値と複数のコード値との対応関係を示す関係情報である。例えば、ＨＤＲに対応した映像の輝度値を１０ビットの
階調のコード値
（５）  段落００８２から段落００８３まで
「　［１−１１．変換装置および表示装置］
　図１１は、実施の形態の
変換装置
　図１１に示すように、
変換装置１００は、ＨＤＲのＥＯＴＦ変換部１０１、輝度変換部１０２、逆輝度変換部１０３、および逆ＳＤＲのＥＯＴＦ変換部１０４を備える
（６）  段落００８５から段落００９５まで
「　［１−１２．変換方法および表示方法］
　変換装置１００が行う変換方法について、図１２を用いて説明する。なお、変換方法は、以下で説明するステップＳ１０１〜ステップＳ１０４を含む。
　
まず、
ＨＤＲのＥＯＴＦ変換部１０１は、
取得したＨＤＲ映像のＨＤＲ信号に対して、ＨＤＲのＥＯＴＦ変換を実施する
これにより、ＨＤＲのＥＯＴＦ変換部１０１は、取得したＨＤＲ信号を、輝度値を示すリニアな信号に変換する
　
次に、
輝度変換部１０２は、ＨＤＲのＥＯＴＦ変換部１０１により変換されたリニアな信号
第１輝度変換を行う
Ｓ１０２
第１輝度変換
ＨＤＲの輝度範囲に対応した輝度値
ＨＤＲの輝度値
を、ディスプレイの輝度範囲に対応した輝度値
ディスプレイ輝度値
に変換する
　上記のことから、
ＨＤＲのＥＯＴＦ変換部１０１は、
コード値を示す第１輝度信号としてのＨＤＲ信号を取得する
ＨＤＲのＥＯＴＦ変換部１０１および輝度変換部１０２は、
取得されたＨＤＲ信号が示すコード値を、
ＨＤＲの輝度範囲の最大値（ＨＰＬ）よりも小さく、かつ、１００ｎｉｔよりも大きい最大値（ＤＰＬ）であるディスプレイの輝度範囲に対応するディスプレイ輝度値へ変換する変換部として機能する
　…（略）…
　また、変換装置１００は、
ステップＳ１０２の前に、映像（コンテンツ）の輝度の最大値（ＣＰＬ
）および映像の平均輝度値（ＣＡＬ
）の少なくとも一方を含むコンテンツ輝度情報をＨＤＲ信号に関する情報として取得し
　また、変換装置１００は、
ステップＳ１０２の前に、表示装置２００から
ディスプレイ特性情報を取得し
ディスプレイ特性情報
表示装置２００が表示できる輝度の最大値（ＤＰＬ）
　…（略）…
　
次に、
逆輝度変換部１０３は、ディスプレイの輝度範囲に対応した輝度値を、ＳＤＲの輝度範囲
に対応する輝度値に変換する第２輝度変換を行う
　
そして、
逆ＳＤＲのＥＯＴＦ変換部１０４は、
ＳＤＲの輝度範囲に対応するＳＤＲの輝度値を、第３コード値を示す第３輝度信号としてのＳＤＲ信号へ変換することで、疑似ＨＤＲ信号を生成する
生成した疑似ＨＤＲ信号（ＳＤＲ信号）を表示装置２００へ出力する
（７）  段落０１０７から段落０１０９まで
「　［１−１３．第１輝度変換］
　次に、ステップＳ１０２の第１輝度変換（ＨＰＬ→ＤＰＬ）の詳細について、図１３Ａを用いて説明する。図１３Ａは、第１輝度変換の一例について説明するための図である。
　変換装置１００の輝度変換部１０２は、ステップＳ１０１で得られたリニアな信号（ＨＤＲの輝度値）を、ディスプレイ特性情報と、ＨＤＲ映像のコンテンツ輝度情報とを用いて変換する第１輝度変換を行う。
第１輝度変換は、ＨＤＲの輝度値（入力輝度値）を、ディスプレイピーク輝度（ＤＰＬ）を超えないディスプレイ輝度値（出力輝度値）に変換する
　また、
第１輝度変換
コンテンツ輝度情報のうちのＣＡＬとＣＰＬとを用い、
第１輝度変換
ＨＤＲの輝度値がＣＡＬ以下の場合、当該ＨＤＲの輝度値を変換せず、当該ＨＤＲの輝度値を、ディスプレイ輝度値として決定し
ＨＤＲの輝度値がＣＰＬ以上の場合、第２最大輝度値としてのＤＰＬを、ディスプレイ輝度値として決定する
［図１３Ａ］
（８）  段落０１４２
「　また、
ＨＤＲ映像のＣＰＬやＣＡＬは、コンテンツ１つに対して１つでもよいし、シーン毎に存在していてもよい
（９）  段落０１５０から段落０１５３まで
「　また、変換装置１００の第１輝度変換（ＨＰＬ→ＤＰＬ）は例えば次の算式で変換する。
　…（略）…
　つまり、第１輝度変換では、
ＳＤＲの輝度値が、平均輝度値（ＣＡＬ）と第１最大輝度値（ＣＰＬ）との間である場合、自然対数を用いて、当該ＨＤＲの輝度値に対応するディスプレイ輝度値を決定する
　
ＨＤＲ映像のコンテンツピーク輝度やコンテンツ平均輝度等の情報を用いてＨＤＲ映像を変換することにより、コンテンツに応じて変換式を変えることができ、ＨＤＲの階調をなるべく保つように変換することが可能となる
　ここで、段落０１５０の「また、変換装置１００の第１輝度変換（ＨＰＬ→ＤＰＬ）は例えば次の算式で変換する。」との記載の後で、記載されるべき「次の算式」が記載されておらず、その後の段落０１５２では「つまり、第１輝度変換では、ＳＤＲの輝度値が、平均輝度値（ＣＡＬ）と第１最大輝度値（ＣＰＬ）との間である場合、自然対数を用いて、当該ＨＤＲの輝度値に対応するディスプレイ輝度値を決定する。」と記載されているが、段落０１５０及び段落０１５２の記載が、ＨＤＲの輝度範囲に対応したＨＤＲの輝度値を、ディスプレイの輝度範囲に対応したディスプレイ輝度値に変換する「第１輝度変換」に関するものであるということ（上記（６）を参照。）、及び「第１輝度変換」の一例を示すものとされている図１３Ａの内容（上記（７）を参照。）を考慮すれば、段落０１５２の「ＳＤＲの輝度値が」との記載は「ＨＤＲの輝度値が」の誤記であって、段落０１５０の上記記載の後に記載されるべき「次の算式」は、「
ＨＤＲの輝度値が、平均輝度値（ＣＡＬ）と第１最大輝度値（ＣＰＬ）との間である場合、自然対数を用いて、当該ＨＤＲの輝度値に対応するディスプレイ輝度値を決定する
　上記（１）ないし（９）の記載によれば、引用文献１には、以下の発明（以下、「引用発明」という。）が記載されている。
　
「　輝度範囲が高い高輝度信号であるＨＤＲ信号を、最大輝度値が１００ｎｉｔである輝度範囲の通常輝度信号であるＳＤＲ信号に対応したＴＶ（ＳＤＲＴＶ）で表示させるための画像変換・再生方法に用いられる変換装置１００であって、
　ＨＤＲのＥＯＴＦ変換部１０１、輝度変換部１０２、逆輝度変換部１０３及び逆ＳＤＲのＥＯＴＦ変換部１０４を備え、
　まず、ＨＤＲのＥＯＴＦ変換部１０１が、階調のコード値を示す第１輝度信号としてのＨＤＲ信号を取得し、取得したＨＤＲ映像のＨＤＲ信号に対して、ＨＤＲのＥＯＴＦ変換を実施することにより、取得したＨＤＲ信号を、輝度値を示すリニアな信号に変換し、
　次に、輝度変換部１０２が、ＨＤＲのＥＯＴＦ変換部１０１により変換されたリニアな信号におけるＨＤＲの輝度範囲に対応したＨＤＲの輝度値を、ディスプレイの輝度範囲に対応したディスプレイ輝度値に変換する第１輝度変換を行い、
　次に、逆輝度変換部１０３が、ディスプレイの輝度範囲に対応したディスプレイ輝度値を、ＳＤＲの輝度範囲に対応するＳＤＲの輝度値へ変換する第２輝度変換を行い、
　そして、逆ＳＤＲのＥＯＴＦ変換部１０４が、ＳＤＲの輝度範囲に対応するＳＤＲの輝度値を、第３コード値を示す第３輝度信号としてのＳＤＲ信号へ変換することで、疑似ＨＤＲ信号を生成し、
　生成した疑似ＨＤＲ信号（ＳＤＲ信号）を表示装置２００へ出力するようにすることで、既存のＳＤＲＴＶで、ＨＤＲ信号を、ＳＤＲ映像としてではなく、ＨＤＲ映像または、ＳＤＲ映像よりもＨＤＲ映像に近づけた疑似ＨＤＲ映像として視聴可能にするものであり、
　ＨＤＲのＥＯＴＦ変換部１０１及び輝度変換部１０２は、取得されたＨＤＲ信号が示すコード値を、ＨＤＲの輝度範囲の最大値（ＨＰＬ）よりも小さく、かつ、１００ｎｉｔよりも大きい最大値（ＤＰＬ）であるディスプレイの輝度範囲に対応するディスプレイ輝度値へ変換する変換部として機能するものであり、
　輝度変換部１０２が第１輝度変換を行う前に、映像（コンテンツ）の輝度の最大値（ＣＰＬ）および映像の平均輝度値（ＣＡＬ）の少なくとも一方を含むコンテンツ輝度情報をＨＤＲ信号に関する情報として取得し、また、表示装置２００が表示できる輝度の最大値（ＤＰＬ）などのディスプレイ特性情報を表示装置２００から取得し、ＨＤＲ映像のＣＰＬやＣＡＬは、コンテンツ１つに対して１つでもよいし、シーン毎に存在していてもよく、
　第１輝度変換は、ＨＤＲの輝度値（入力輝度値）を、ディスプレイピーク輝度（ＤＰＬ）を超えないディスプレイ輝度値（出力輝度値）に変換するものであり、また、コンテンツ輝度情報のうちのＣＡＬとＣＰＬとを用い、ＨＤＲの輝度値がＣＡＬ以下の場合は当該ＨＤＲの輝度値を変換せずに当該ＨＤＲの輝度値をディスプレイ輝度値として決定し、ＨＤＲの輝度値がＣＰＬ以上の場合は第２最大輝度値としてのＤＰＬをディスプレイ輝度値として決定し、ＨＤＲの輝度値がＣＡＬとＣＰＬとの間である場合は自然対数を用いて当該ＨＤＲの輝度値に対応するディスプレイ輝度値を決定するものであり、ＨＤＲ映像のコンテンツピーク輝度（ＣＰＬ）やコンテンツ平均輝度（ＣＡＬ）等の情報を用いてＨＤＲ映像を変換することにより、コンテンツに応じて変換式を変えることができ、ＨＤＲの階調をなるべく保つように変換することが可能となる変換装置１００。」
第５  対比・判断
１  本願発明１について
（１）  対比
　本願発明１と引用発明とを対比すると、以下のとおりである。 
ア  引用発明の「輝度範囲が高い高輝度信号であるＨＤＲ信号を、最大輝度値が１００ｎｉｔである輝度範囲の通常輝度信号であるＳＤＲ信号に対応したＴＶ（ＳＤＲＴＶ）で表示させるための画像変換・再生方法に用いられる変換装置１００」は、本願発明１の「映像処理装置」に相当する。
イ  引用発明の「階調のコード値を示す第１輝度信号としてのＨＤＲ信号」が、本願発明１の「映像信号」に相当し、引用発明の「ＨＤＲ信号」が示す「階調のコード値」が、本願発明１の「映像信号が示す階調値」に相当する。
ウ  引用発明における「変換装置１００」の構成である「ＨＤＲのＥＯＴＦ変換部１０１及び輝度変換部１０２」は、「取得されたＨＤＲ信号が示すコード値を、ＨＤＲの輝度範囲の最大値（ＨＰＬ）よりも小さく、かつ、１００ｎｉｔよりも大きい最大値（ＤＰＬ）であるディスプレイの輝度範囲に対応するディスプレイ輝度値へ変換する変換部として機能するもの」であり、つまり「階調のコード値」から「ディスプレイ輝度値」を設定するものである。
　そして、引用発明の「ＨＤＲのＥＯＴＦ変換部１０１及び輝度変換部１０２」のうちの「輝度変換部１０２」が行う「第１輝度変換」は、「ＨＤＲのＥＯＴＦ変換部１０１により変換された」「ＨＤＲの輝度値」を「ディスプレイ輝度値」に変換するものであり、「ＨＤＲ映像のコンテンツピーク輝度（ＣＰＬ）やコンテンツ平均輝度（ＣＡＬ）等の情報を用いてＨＤＲ映像を変換することにより、コンテンツに応じて変換式を変えることができ、ＨＤＲの階調をなるべく保つように変換することが可能となる」ものであることから、「輝度変換部１０２」は複数の「変換式」を備えるものであり、これらの複数の「変換式」は、上述の「ＨＤＲのＥＯＴＦ変換部１０１及び輝度変換部１０２」による「階調のコード値」から「ディスプレイ輝度値」を設定するという処理の一部、具体的には、「ＨＤＲの輝度値」から「ディスプレイ輝度値」を設定するという処理を行うものであるといえる。
　以上によれば、引用発明の「変換装置１００」の構成である「輝度変換部１０２」が複数の「変換式」を備えるということと、本願発明の「映像処理装置」が「映像信号が示す階調値から輝度値を設定する変換手段を複数有し」、「上記変換手段は、変換関数による階調値と輝度値との変換関数であ」るということとは、「映像処理装置」が、「映像信号が示す階調値から輝度値を設定する」という処理の少なくとも一部を行う「変換手段を複数有し」、「上記変換手段は、」「変換関数であ」るという点で共通するものである。
エ  引用発明の「映像（コンテンツ）の輝度の最大値（ＣＰＬ）」は、本願発明１の「映像信号の最大輝度レベルに関する情報」に相当する。
　また、引用発明の「輝度変換部１０２」が行う「第１輝度変換」は、「ＨＤＲ映像のコンテンツピーク輝度（ＣＰＬ）やコンテンツ平均輝度（ＣＡＬ）等の情報を用いてＨＤＲ映像を変換することにより、コンテンツに応じて変換式を変える」ものであり、これは、本願発明１の「切替部」の「上記映像信号の最大輝度レベルに関する情報に応じて、上記変換手段を切り替える」という機能に相当するものといえる。
オ  引用発明の「輝度変換部１０２」が行う「第１輝度変換」は、「ＨＤＲの輝度値（入力輝度値）を、ディスプレイピーク輝度（ＤＰＬ）を超えないディスプレイ輝度値（出力輝度値）に変換するものであり」、「ＨＤＲの輝度値がＣＰＬ以上の場合は第２最大輝度値としてのＤＰＬをディスプレイ輝度値として決定」するものであり、「ＨＤＲ映像のコンテンツピーク輝度（ＣＰＬ）やコンテンツ平均輝度（ＣＡＬ）等の情報を用いてＨＤＲ映像を変換することにより、コンテンツに応じて変換式を変える」ものであるから、「輝度変換部１０２」は、「ＨＤＲの輝度値がＣＰＬ」の場合に「第２最大輝度値としてのＤＰＬをディスプレイ輝度値として決定」する「変換式」への切り替えを行うものである。
　このような「変換式」における「第２最大輝度値としてのＤＰＬ」（つまり「表示装置２００が表示できる輝度の最大値（ＤＰＬ）」）は、本願発明１の「所定の最大輝度レベル」に相当し、また、このように「ＨＤＲの輝度値がＣＰＬ」の場合に「第２最大輝度値としてのＤＰＬをディスプレイ輝度値として決定」する「変換式」への切り替えを行うということは、本願発明１の「上記映像信号が示す最大の階調値に対応する輝度値が上記所定の最大輝度レベルの値になるように階調値と輝度値とを変換する変換関数に、切り替える」ということに相当する。
（２）  一致点及び相違点
　上記（１）の対比の結果をまとめると、本願発明１と引用発明との一致点及び相違点は、以下のとおりである。 
ア  一致点 
「　映像信号が示す階調値から輝度値を設定するという処理の少なくとも一部を行う変換手段を複数有し、
　上記映像信号の最大輝度レベルに関する情報に応じて、上記変換手段を切り替える切替部を備え、
　上記変換手段は、変換関数であり、
　上記切替部は、上記変換関数を、上記映像信号が示す最大の階調値に対応する輝度値が上記所定の最大輝度レベルの値になるように階調値と輝度値とを変換する変換関数に、切り替えることを特徴とする、映像処理装置。」
イ  相違点 
（ア）  相違点１
　「変換手段」が、本願発明１では、「映像信号が示す階調値から輝度値を設定する」ものであり、「変換関数による階調値と輝度値との変換関数」であるのに対して、引用発明では、「階調のコード値」から「ディスプレイ輝度値」を設定するという処理の一部、具体的には、「ＨＤＲの輝度値」から「ディスプレイ輝度値」を設定するという処理を行う「変換式」である点。
　
（イ）  相違点２
　本願発明１では、「映像信号の最大輝度レベルに関する情報を参照し、当該最大輝度レベルが所定の最大輝度レベルよりも大きいか否かを判定する判定部」が設けられ、切替部は、「判定部が、上記最大輝度レベルが所定の最大輝度レベルよりも大きいと判定した場合」に、切り替えを行うのに対して、引用発明では、判定部に相当する構成が設けられていない点。
（３）  相違点についての判断
　事案に鑑みて、相違点２について先に検討する。
　引用発明が相違点２に係る本願発明１の構成を備えるようにするには、引用発明において、「映像（コンテンツ）の輝度の最大値（ＣＰＬ）」を参照し、当該「ＣＰＬ」が「表示装置２００が表示できる輝度の最大値（ＤＰＬ）」よりも大きいか否かを判定する判定部を設け、当該判定部が、「ＣＰＬ」が「ＤＰＬ」よりも大きいと判定した場合に、、「輝度変換部１０２」が「変換式」の切り替えを行うようにする必要がある。
　ところが、引用発明の「第１輝度変換は、ＨＤＲの輝度値（入力輝度値）を、ディスプレイピーク輝度（ＤＰＬ）を超えないディスプレイ輝度値（出力輝度値）に変換するものであり、また、コンテンツ輝度情報のうちのＣＡＬとＣＰＬとを用い、ＨＤＲの輝度値がＣＡＬ以下の場合は当該ＨＤＲの輝度値を変換せずに当該ＨＤＲの輝度値をディスプレイ輝度値として決定し、ＨＤＲの輝度値がＣＰＬ以上の場合は第２最大輝度値としてのＤＰＬをディスプレイ輝度値として決定し、ＨＤＲの輝度値がＣＡＬとＣＰＬとの間である場合は自然対数を用いて当該ＨＤＲの輝度値に対応するディスプレイ輝度値を決定する」という事項や図１３Ａ（上記第４の１（７））の内容は、「ＣＰＬ」が「ＤＰＬ」よりも大きいということを前提としたものであり、「ＣＰＬ」が「ＤＰＬ」よりも小さくなり得るといったことは引用文献１において記載も示唆もされていないことから、「ＣＰＬ」が「ＤＰＬ」よりも大きいか否かを判定するということも、引用文献１からは示唆されない。
　したがって、相違点２に係る本願発明１の構成は、引用発明に基づいて、当業者が容易に想到し得るものであるということはできない。 
（４）  本願発明１についてのまとめ 
　以上のとおりであるから、本願発明１は、相違点１を検討するまでもなく、引用文献１に記載された発明に基づいて、当業者が容易に発明をすることができたものであるということはできない。 
２  本願発明２及び本願発明３について 
　本願発明２及び本願発明３は、本願発明１の構成を全て含むから、少なくとも本願発明１と引用発明との相違点（上記１（２）イ）で引用発明と相違する。
　そして、上記１（３）のとおり、相違点２に係る本願発明１の構成は、引用発明に基づいて、当業者が容易に想到し得るものであるということはできないから、相違点２に係る本願発明２及び本願発明３の構成も同様である。 
　したがって、本願発明２及び本願発明３は、引用文献１に記載された発明に基づいて、当業者が容易に発明をすることができたものであるということはできない。 
３  本願発明４について 
（１）  対比
　本願発明４と引用発明とを対比すると、以下のとおりである。 
ア  引用発明の「最大輝度値が１００ｎｉｔである輝度範囲の通常輝度信号であるＳＤＲ信号」のフォーマット及び「輝度範囲が高い高輝度信号であるＨＤＲ信号」のフォーマットは、本願発明４の「第１の映像フォーマット」及び「第１の映像フォーマットよりも輝度範囲の広い第２の映像フォーマット」にそれぞれ相当し、引用発明の「輝度範囲が高い高輝度信号であるＨＤＲ信号を、最大輝度値が１００ｎｉｔである輝度範囲の通常輝度信号であるＳＤＲ信号に対応したＴＶ（ＳＤＲＴＶ）で表示させるための画像変換・再生方法に用いられる変換装置１００」は、本願発明４の「第１の映像フォーマットよりも輝度範囲の広い第２の映像フォーマットに従う映像信号において各画素が取る階調値を変換する映像処理装置」に相当する。
イ  引用発明の「階調のコード値を示す第１輝度信号としてのＨＤＲ信号」が、本願発明４の「上記第２の映像フォーマットに従う映像信号」に相当し、引用発明の「ＨＤＲ信号」が示す「階調のコード値」が、本願発明４の「上記第２の映像フォーマットに従う映像信号において各画素が取る階調値」に相当する。
　また、引用発明の「第３コード値を示す第３輝度信号としてのＳＤＲ信号」が、本願発明４の「上記第１の映像フォーマットに従う映像信号」に相当し、引用発明の「ＳＤＲ信号」が示す「第３コード値」が、本願発明４の「上記第１の映像フォーマットに従う映像信号において各画素が取る階調値」に相当する。
ウ  引用発明は、「まず、ＨＤＲのＥＯＴＦ変換部１０１が、階調のコード値を示す第１輝度信号としてのＨＤＲ信号を取得し、取得したＨＤＲ映像のＨＤＲ信号に対して、ＨＤＲのＥＯＴＦ変換を実施することにより、取得したＨＤＲ信号を、輝度値を示すリニアな信号に変換し」、「次に、輝度変換部１０２が、ＨＤＲのＥＯＴＦ変換部１０１により変換されたリニアな信号におけるＨＤＲの輝度範囲に対応したＨＤＲの輝度値を、ディスプレイの輝度範囲に対応したディスプレイ輝度値に変換する第１輝度変換を行い」、「次に、逆輝度変換部１０３が、ディスプレイの輝度範囲に対応したディスプレイ輝度値を、ＳＤＲの輝度範囲に対応するＳＤＲの輝度値へ変換する第２輝度変換を行い」、「そして、逆ＳＤＲのＥＯＴＦ変換部１０４が、ＳＤＲの輝度範囲に対応するＳＤＲの輝度値を、第３コード値を示す第３輝度信号としてのＳＤＲ信号へ変換する」ものであり、「ＨＤＲのＥＯＴＦ変換部１０１」、「輝度変換部１０２」、「逆輝度変換部１０３」及び「逆ＳＤＲのＥＯＴＦ変換部１０４」の４つの構成全体としては、「階調のコード値を示す第１輝度信号としてのＨＤＲ信号」を「第３コード値を示す第３輝度信号としてのＳＤＲ信号」へ変換するものである。
　また、引用発明の「輝度変換部１０２」が行う「第１輝度変換」は、「ＨＤＲの輝度値（入力輝度値）を、ディスプレイピーク輝度（ＤＰＬ）を超えないディスプレイ輝度値（出力輝度値）に変換するものであり、また、コンテンツ輝度情報のうちのＣＡＬとＣＰＬとを用い、ＨＤＲの輝度値がＣＡＬ以下の場合は当該ＨＤＲの輝度値を変換せずに当該ＨＤＲの輝度値をディスプレイ輝度値として決定し、ＨＤＲの輝度値がＣＰＬ以上の場合は第２最大輝度値としてのＤＰＬをディスプレイ輝度値として決定し、ＨＤＲの輝度値がＣＡＬとＣＰＬとの間である場合は自然対数を用いて当該ＨＤＲの輝度値に対応するディスプレイ輝度値を決定するもの」であり、すなわち、「ＨＤＲの輝度値（入力輝度値）」のうち「ＣＰＬ」以下の輝度値を、当該輝度値の大きさに応じた「ディスプレイ輝度値（出力輝度値）」に変換し、「ＣＰＬ」を超える輝度値を、当該輝度値の大きさによらない１つのディスプレイ輝度値である「ＤＰＬ」に変換する。
　以上によれば、引用発明の「ＨＤＲのＥＯＴＦ変換部１０１」、「輝度変換部１０２」、「逆輝度変換部１０３」及び「逆ＳＤＲのＥＯＴＦ変換部１０４」の４つの構成全体としては、「階調のコード値を示す第１輝度信号としてのＨＤＲ信号」のうち、「ＣＰＬ」以下の輝度値に対応する「コード値」を、当該「コード値」の大きさに応じた「第３コード値を示す第３輝度信号としてのＳＤＲ信号」へ変換し、「ＣＰＬ」を超える輝度値に対応する「コード値」を、当該「コード値」の大きさによらない１つのディスプレイ輝度値である「ＤＰＬ」に対応する「第３コード値を示す第３輝度信号としてのＳＤＲ信号」へ変換するものである。
　ここで、引用発明の「ＣＰＬ」が、本願発明４の「所定の最大輝度レベル」に相当し、引用発明の、「階調のコード値を示す第１輝度信号としてのＨＤＲ信号」のうち、「ＣＰＬ」以下の輝度値に対応する「コード値」を、当該「コード値」の大きさに応じた「第３コード値を示す第３輝度信号としてのＳＤＲ信号」へ変換する機能に係る「ＨＤＲのＥＯＴＦ変換部１０１」、「輝度変換部１０２」、「逆輝度変換部１０３」及び「逆ＳＤＲのＥＯＴＦ変換部１０４」の４つの構成全体が、本願発明４の「上記第２の映像フォーマットに従う映像信号において各画素が取る階調値のうち、所定の最大輝度レベル以下の各輝度レベルに対応する階調値を、上記第１の映像フォーマットに従う映像信号において各画素が取る階調値に変換する変換部」に相当する。
エ  引用発明では、「輝度変換部１０２が第１輝度変換を行う前に、映像（コンテンツ）の輝度の最大値（ＣＰＬ）」「を含むコンテンツ輝度情報をＨＤＲ信号に関する情報として取得し」、「ＨＤＲ映像のＣＰＬ」は「コンテンツ１つに対して１つでもよいし、シーン毎に存在していてもよく」、また、「第１輝度変換」は「ＨＤＲ映像のコンテンツピーク輝度（ＣＰＬ）」「の情報を用いてＨＤＲ映像を変換することにより、コンテンツに応じて変換式を変える」ものであるから、「シーン」若しくは「コンテンツ」が変わって「ＣＰＬ」が変われば、それに応じて「変換式」も変わることになる。すなわち、「輝度変換部１０２」は「シーン」若しくは「コンテンツ」が変わるごとに「ＣＰＬ」を参照し、新たに参照した「ＣＰＬ」がそれまでの「ＣＰＬ」よりも大きい場合には、「変換式」をより大きい値の新たに参照した「ＣＰＬ」を用いた「変換式」に変更している。
　ここで、引用発明の「輝度変換部１０２」が新たな「ＣＰＬ」を参照するということは、本願発明４の「判定部」が「上記第２の映像フォーマットに従う映像信号の最大輝度レベルに関する情報を参照」するということに相当し、また、引用発明の「輝度変換部１０２」が新たに参照した「ＣＰＬ」がそれまでの「ＣＰＬ」よりも大きい場合に、「変換式」をより大きい値の新たに参照した「ＣＰＬ」を用いた「変換式」に変更するということは、本願発明４の「設定部」が「上記最大輝度レベルが上記所定の最大輝度レベルよりも大きい」場合に「上記所定の最大輝度レベルを、より高い値に設定する」ということに相当する。
（２）  一致点及び相違点
　上記（１）の対比の結果をまとめると、本願発明４と引用発明との一致点及び相違点は、以下のとおりである。 
ア  一致点 
「　第１の映像フォーマットよりも輝度範囲の広い第２の映像フォーマットに従う映像信号において各画素が取る階調値を変換する映像処理装置であって、
　上記第２の映像フォーマットに従う映像信号において各画素が取る階調値のうち、所定の最大輝度レベル以下の各輝度レベルに対応する階調値を、上記第１の映像フォーマットに従う映像信号において各画素が取る階調値に変換する変換部と、
　上記第２の映像フォーマットに従う映像信号の最大輝度レベルに関する情報を参照する判定部と、
　上記最大輝度レベルが上記所定の最大輝度レベルよりも大きい場合に、上記所定の最大輝度レベルを、より高い値に設定する設定部と、を備えていることを特徴とする、映像処理装置。」
イ  相違点 
（ア）  相違点３
　本願発明１では、「判定部」が、参照した「最大輝度レベル」が「所定の最大輝度レベルよりも大きいか否かを判定」するものであり、「設定部」は、最大輝度レベルが所定の最大輝度レベルよりも大きいと「判定部」が「判定」した場合に所定の最大輝度レベルの設定を行うのに対して、引用発明１では、新たに参照した「ＣＰＬ」がそれまでの「ＣＰＬ」よりも大きいか否かの「判定」を行っていない（若しくは行っているかどうかが不明である）が、「ＣＰＬ」が変わればそれに応じて「変換式」も変わることから、新たに参照した「ＣＰＬ」がそれまでの「ＣＰＬ」よりも大きい場合には、より大きい値の新たに参照した「ＣＰＬ」を用いた「変換式」に結果的に変更される点。
（３）  相違点についての判断
　引用発明が相違点３に係る本願発明４の構成を備えるようにするには、引用発明において、新たに参照した「ＣＰＬ」がそれまでの「ＣＰＬ」よりも大きいか否かの「判定」を行い、新たに参照した「ＣＰＬ」がそれまでの「ＣＰＬ」よりも大きいと「判定」した場合に、より大きい値の新たに参照した「ＣＰＬ」を用いた「変換式」に変更するようにする必要がある。
　ところが、引用発明は、「ＣＰＬ」の大小に関わらず新たに参照した「ＣＰＬ」を用いた「変換式」への変更を行うものであるから、その過程で敢えて、新たに参照した「ＣＰＬ」がそれまでの「ＣＰＬ」よりも大きいか否かの「判定」を行う必要性はなく、引用文献１には、新たに参照した「ＣＰＬ」がそれまでの「ＣＰＬ」よりも大きいか否かの「判定」を行うことについて、記載も示唆もされていない。
　したがって、相違点３に係る本願発明４の構成は、引用発明に基づいて、当業者が容易に想到し得るものであるということはできない。 
（４）  本願発明４についてのまとめ 
　以上のとおりであるから、本願発明４は、引用文献１に記載された発明に基づいて、当業者が容易に発明をすることができたものであるということはできない。 
４  本願発明５について 
　本願発明５は、本願発明１又は本願発明４のいずれかの構成を全て含むから、少なくとも本願発明１と引用発明との相違点（上記１（２）イ）又は本願発明４と引用発明との相違点（上記３（２）イ）で引用発明と相違する。
　そして、上記１（３）及び上記３（３）のとおり、相違点２に係る本願発明１の構成及び相違点３に係る本願発明４の構成はいずれも、引用発明に基づいて、当業者が容易に想到し得るものであるということはできないから、相違点２及び相違点３に係る本願発明５の構成も同様である。 
　したがって、本願発明５は、引用文献１に記載された発明に基づいて、当業者が容易に発明をすることができたものであるということはできない。 
５  本願発明６ないし本願発明８について 
　本願発明６は、本願発明１に係る映像処理装置の動作を方法の発明として表現したものであり、相違点２に係る本願発明１の構成に対応する構成、すなわち、「上記映像信号の最大輝度レベルに関する情報を参照し、当該最大輝度レベルが所定の最大輝度レベルよりも大きいか否かを判定する判定ステップ」との構成及び「上記切替ステップでは、上記判定ステップで上記最大輝度レベルが所定の最大輝度レベルよりも大きいと判定した場合に、上記変換関数を、上記映像信号が示す最大の階調値に対応する輝度値が上記所定の最大輝度レベルの値になるように階調値と輝度値とを変換する変換関数に、切り替える」との構成を備えるものである。
　また、本願発明７は、本願発明１に係る映像処理装置としてコンピュータを機能させるための制御プログラムであり、本願発明８は、本願発明７に係る制御プログラムを記録したコンピュータ読み取り可能な記録媒体であって、いずれも相違点２に係る本願発明１の構成に対応する構成を備えるものである。
　そして、前記１（３）で述べたのと同様に、引用発明において「ＣＰＬ」が「ＤＰＬ」よりも大きいか否かを判定するということは、引用文献１から示唆されないから、相違点２に係る本願発明１の構成に対応する本願発明６ないし本願発明８の上記構成は、引用発明に基づいて、当業者が容易に想到し得るものであるということができない。 
　したがって、本願発明６ないし本願発明８は、引用文献１に記載された発明に基づいて、当業者が容易に発明をすることができたものであるということはできない。 
第６  原査定について 
　上記第５のとおり、本件補正がされた本願発明１ないし本願発明８は、引用文献１に記載された発明に基づいて、当業者が容易に発明をすることができたものであるということはできない。
　したがって、原査定の理由は、維持することができない。 
第７  むすび
　以上のとおりであるから、原査定の理由によっては、本願は拒絶をするべきものであるということはできない。 
　また、他に、本願は拒絶をするべきものであるとする理由を発見しない。 
　よって、結論のとおり審決する。